(57)【特許請求の範囲】
【請求項１】
座クッション１に膝挟み滑り止め手段を備えた本体２の前部及び後部に双輪のねじ込み式前傾孔取り付け前傾駆動キャスター３が設けられ、前部の双輪のねじ込み式前傾孔取り付け前傾駆動キャスター３は前部弾性体６により首振復元自在となされ、後部の双輪のねじ込み式前傾孔取り付け前傾駆動キャスター３は後部駆動弾性体９により首振復元自在となされてなることを特徴とする座り捻り駆動走行体
【請求項２】
座クッション１に膝挟み滑り止め手段を備えた本体２の前部及び後部に双輪のプレートタイプクサビスペーサ介在前傾駆動キャスター３が設けられ、前部の双輪のプレートタイプクサビスペーサ前傾駆動キャスター３は前部弾性体６により首振復元自在となされ、後部の双輪のプレートタイプクサビスペーサ前傾駆動キャスター３は後部駆動弾性体９により首振復元自在となされてなることを特徴とする座り捻り駆動走行体
【請求項３】
前記座クッション１の膝挟み滑り止め手段としてコードレス掃除機が設けられてなることを特徴とする請求項１乃至2に記載の座り捻り駆動走行体
【請求項４】
前記クッション1の膝挟み滑り止め手段として、魚形ワニ形などのぬいぐるみが設けられてなることを特徴とする請求項1乃至2に記載の座り捻り駆動走行体
【発明の詳細な説明】
【０００１】
【発明の属する技術分野】
本発明は、主として室内で使われる、座り捻り駆動走行体に関している。
【０００２】
【従来の技術】
従来、屋外で使われる児童向走行遊具としては、六車義方によるウェーデルンスケボー（実開平６−８６７７５）や手動スケボー（実開平６−５２８８０）のように、乗り手が立ち乗りする揺動推進板の下面に首振駆動キャスターが設けられており、遊戯者が尻を振ったり、左右ロープを交互に引いたりして揺動推進板を揺らし、首振駆動キャスターにより駆動走行する仕組みのものが知られている。
【０００３】
屋外で乗りこなす上記従来の走行遊具は、ペダルやチェーンがなく、乗り手が尻を振ったり、ロープを引いて駆動するので、最初は上手に乗りこなせないが、次第に動かし方に慣れて上手になり、楽しい。
【０００４】
揺動推進板を、魚のようにくねらせて、首振駆動キャスターを魚の尾ビレのように振動させて走行する仕組みは色々なものに応用できる。
【０００５】
立ち姿勢で駆動するものばかりでなく、座り姿勢で駆動できるものができれば、腰の運動にもなり、肥満防止にもなる。
【０００６】
【発明が解決しようとする課題】
以上に述べた従来の、立ち乗り姿勢で漕ぐ乗り物遊具は、狭い室内で走るには適しておらず、寸法が大きいとあちこちに衝突する虞れがあり、また姿勢が高いので転倒して怪我をする危険があった。更に、揺動走行に熟練を要し、初心者に乗りこなせない不利もあった。また、子供にも大人にも乗って楽しめ、親子で遊べる運動具が待望され、しかも室内を汚さない面白遊具の出現が望まれていた。
【０００７】
本発明は、このような従来の構成が有していた問題を解決しようとするもので、狭い室内で走れ、座った姿勢で乗れ、腰の運動になり、子供でも大人でも乗れ、見てて楽しい魚の運動で走り、出来れば掃除もしうるような座り捻り駆動走行体を提供することを目的とするものである。
【０００８】
【課題を解決するための手段】
そして、本発明は上記目的を達成するために、横ずれ防止入力座クッション１を備えた本体２に取付角前傾駆動キャスター３を設け、該取付角前傾駆動キャスター３を弾性体６及び９により首振復元自在となすことで、乗り手が横ずれ防止入力座クッション１に座して、重心の低い正座状態で漕ぎ進むことが出来て転倒する恐れがなく安心して走れ、乗り手の自重を利用したキャスターアングルの効果で、ゴムやバネなどの弾性体が脱落したり破損したりしても、速度は遅いが正常に走行することが出来るようになした。
【０００９】
第２の解決手段では、横ずれ防止入力座クッション１を備えた本体２の前部及び後部に取付角前傾駆動キャスター３を設け、前部の取付角前傾駆動キャスター３は前部弾性体９により首振復元自在となし、後部の取付角前傾駆動キャスター３は後部弾性体６により首振復元自在となしたから、乗り手は横ずれ防止入力座クッション１を膝の間に挟んで腰から入力でき、前部後部の両方の取付角前傾駆動キャスター３の、乗り手の自重を利用したキャスターアングル作用で強力な復元力を生み驚異的な前後輪駆動ができるようにした。
更なる解決手段では、横ずれ防止入力座クッション１を備えた本体２の前部及び後部に双輪の取付角前傾駆動キャスター３を設け、前部の双輪の取付角前傾駆動キャスター３は前部弾性体９により首振復元自在となし、後部の双輪の取付角前傾駆動キャスター３は後部弾性体６により首振復元自在となしたから、前後双輪の耐荷重アップと双輪の首振復元力アップで前後輪バランス駆動させることで走行性能が著しく向上するようにした。
【００１０】
また、第３の課題解決手段は、座クッション１を備えた本体２に掃除手段２５・２６・２７を設けた。コードレス真空掃除機を内蔵させたり、モップやブラシを装着することで、室内を掃除しながら走行を楽しむ座り捻り駆動走行体が実現できた。
【００１１】
その他の課題解決手段は、誰でも容易に漕げるように座クッション１に滑り止め手段を設け、不器用な子供の為に発音手段（オルゴールや楽器など）を設けてタイミングをとり易いようにし、更には、安全で怪我の虞れのない輪ゴムを弾性体６・９として採用した。全体として、本発明座り捻り駆動走行体は、初心者にも乗り易く、室内で走行するに適した遊び具・健康具となり、魚のくねり遊泳運動を模した駆動方法でウエストをスリムにする。
【００１２】
【発明の実施の形態】
以下、本発明の実施の形態として一実施例を図１〜図２に基づいて説明する。座クッション１を備えた本体２にはコードレス電気掃除機２５が内蔵され、その前部及び後部に双輪の前傾駆動キャスター３・３が設けられ車輪３０で転動する。前部の前傾駆動キャスター３はキャスターフック７と本体側フック８に装架された前部弾性体９により首振復元自在となされ、後部の前傾駆動キャスター３はキャスターフック４と本体側フック５に装架された後部弾性体６により首振復元自在となされている。弾性体６及び９は輪ゴムとなされている。２９は発音手段であり、オルゴール等が本体２の裏側に設けられている。
【００１３】
図１・２のような構造の本発明座り捻り駆動走行体においては、乗り手が座クッション１の上に乗り、コードレス電気掃除機２５にまたがり、上半身を右に回し、それから左に回し、踊るように身体を交互に捻ると、その反動で本体２が左右に揺動し、前部の前傾駆動キャスター３と後部の前傾駆動キャスター３とが逆方向に動いて前方への推進力を生み出し、走行を始める。
左右均等に捻った場合には蛇行しながら前進するが、捻る度合を左右で差をつけるとどちらかへ旋回する。
【００１４】
コードレス電気掃除機２５で掃除しながら室内を走り回れば、遊びと実用とを兼ねることができる。
【００１５】
発音手段２９をオルゴールとし、音楽に合わせてタイミングよく身体を捻れば、走行が容易であり、初心者にも乗りこなし易い。
【００１６】
【発明の実施の形態その２】
本発明の第２の実施例を第３図乃至第４図に示し、これに基づいて説明する。
座クッション１の中央には魚形ぬいぐるみが設けられ、乗り手は膝で挟むようにして正座することができるようになされている。この魚形ぬいぐるみが滑り止め手段となって乗り手の滑り落ちを防ぎ、良好な駆動ができるようになされている。
また、モップ形状の掃除手段２６が設けられて、床面を拭くことができるようになされている。
後部の前傾駆動キャスター３は軸ねじ込み式のタイプで前傾孔に取り付けられキャスターフック４と本体側フック５との間に装架された後部弾性体６により首振復元自在となされ、前部の前傾駆動キャスター３はキャスターフック７と本体側フック８との間に装架された前部弾性体９により首振復元自在となされている。その他の構成は前記実施例とほぼ同じである。
【００１７】
【発明の実施の形態その３】
本発明の第３の実施例を第５図・第６図に示し、これに基づいて説明する。
座クッション１を中央には、ワニ型のぬいぐるみが設けられ、乗り手は両膝で挟むようにして正座することができるようになされている。このワニ型のぬいぐるみが滑り止め手段となって乗り手の滑り落ちを防ぎ、良好な駆動ができるようになされている。
また、ブラシ形状の掃除手段２７が設けられて、床面をブラシで掃くことができるようになされている。
また、前傾駆動キャスター３・３はトラック型のプレートタイプでクサビスペーサを介して本体２に前傾して取り付けられ、キャスターフックと本体側フックとの間に装架された弾性体６・９により首振復元自在となされている。その他の構成は前記実施例とほぼ同じである。
【００１８】
【発明の実施の形態その４】
本発明の第４の実施例を第７図・第８図に示し、これに基づいて説明する。
座クッション１の中央には、尻受けが設けられており、乗り手は正座して尻受けで尻を受けてくれるので脚が痺れない。尻受けの支柱で乗り手の滑り落ちを防ぎ良好な駆動ができる。本体２の前部及び後部に双輪の前傾駆動キャスター３・３が設けられ、前部の双輪の前傾駆動キャスター３は前部弾性体９により首振復元自在となされ、後部の双輪の前傾駆動キャスター３は後部弾性体６により首振復元自在となされている。
その他の構成は前記実施例とほぼ同じである。
【００１９】
本発明座り捻り駆動走行体における座クッション１はウレタンやワタを内蔵した布やカバーから構成されてもよく、発泡プラスチックと表皮プラスチックが一体となされて構成されてもよく、多数のビーズや空気ボールを包み込んだ多気室型クッションの構成であってもよい。
座クッション１と本体２とが一体成形されていてもよく、別体で結合されていてもよい。本体２は前傾駆動キャスター３を取着するために剛体であることが望ましい。
【００２０】
【発明の効果】
上述したように本発明座り捻り駆動走行体では、横ずれ防止入力座クッション１を備えた本体２に取付角前傾駆動キャスター３が設けられ、該取付角前傾駆動キャスター３は弾性体６及び９により首振復元自在となされてなるから、乗り手が横ずれ防止入力座クッション１に座して、重心の低い正座状態で漕ぎ進むことが出来て転倒する恐れがなく安心して走れ、キャスターアングルの効果で、ゴムやバネなどの弾性体が脱落したり破損したりしても、速度は遅いが正常に走行することが出来る利点がある。
請求項２の発明では、横ずれ防止入力座クッション１を備えた本体２の前部及び後部に取付角前傾駆動キャスター３が設けられ、前部の取付角前傾駆動キャスター３は前部弾性体９により首振復元自在となされ、後部の取付角前傾駆動キャスター３は後部弾性体６により首振復元自在となされてなるから、乗り手は横ずれ防止入力座クッション１を膝の間に挟んで腰から入力でき、前部後部の両方の取付角前傾駆動キャスター３のキャスターアングル作用で強力な復元力を生み驚異的な全輪駆動ができる。
請求項３の発明では、横ずれ防止入力座クッション１を備えた本体２の前部及び後部に双輪の取付角前傾駆動キャスター３が設けられ、前部の双輪の取付角前傾駆動キャスター３は前部弾性体９により首振復元自在となされ、後部の双輪の取付角前傾駆動キャスター３は後部弾性体６により首振復元自在となされてなるから、前後双輪の耐荷重アップや双輪の首振複元力アップで全輪駆動走行性能が著しく向上する。
【００２１】
座クッション１や本体２を種々な形状にしてデザインを自由にできると共に、滑り止め手段を兼ねて走行性能を高められる。
【００２２】
掃除手段をつけたものでは、遊びながら室内を清掃することができる。
【００２３】
発音手段をつけたものでは駆動のタイミングをとり易く、踊りながら走行を楽しむことができる。
【図面の簡単な説明】
【図１】本発明の一例を示す側面図
【図２】その底面図
【図３】第２実施例の側面図
【図４】その底面図
【図５】第３実施例の側面図
【図６】その底面図
【図７】第４実施例の側面図
【図８】その底面図
【符号の説明】
１‥‥座クッション
２‥‥本体
３‥‥前傾駆動キャスター
４‥‥キャスターフック
５‥‥本体フック
６‥‥弾性体
７‥‥キャスターフック
８‥‥本体フック
９‥‥弾性体
【図１】
0004178198.tif 000002
【図２】
0004178198.tif 000003
【図３】
0004178198.tif 000004
【図４】
0004178198.tif 000005
【図５】
0004178198.tif 000006
【図６】
0004178198.tif 000007
【図７】
0004178198.tif 000008
【図８】
0004178198.tif 000009